【事件の表示】
　特願２０１５−　７５５３５「プロジェクタースクリーン及びその製造方法」拒絶査定不服審判事件〔平成２８年　２月　１日出願公開、特開２０１６−　１８２０９〕について、次のとおり審決する。
【結　論】
　本件審判の請求は、成り立たない。
【理　由】
第１　手続の経緯
　本願は、平成２７年４月２日（優先権主張　平成２６年７月４日）に出願された特願２０１５−７５５３５号であって、平成２８年１月２７日付けで拒絶理由が通知され、同年４月１４日付けで意見書が提出されるとともに、同日付けで手続補正がなされ、同年９月２８日付けで拒絶査定がなされ、これに対して、平成２９年１月２３日に拒絶査定不服審判の請求がなされ、同時に手続補正がなされたものである。
　
第２　平成２９年１月２３日付けの手続補正についての補正の却下の決定
　
［補正の却下の決定の結論］
　平成２９年１月２３日付けの手続補正（以下「本件補正」という。）を却下する。
　
［理由］
１　本件補正について
　本件補正により、特許請求の範囲の請求項１に係る発明は、平成２８年４月１４日付けの手続補正書の特許請求の範囲の請求項１に記載の、
　
「プロジェクタースクリーンにおいて、
　対向する第一表面及び第二表面を含む可撓性基材と、
　前記可撓性基材の前記第一表面上に形成される反射層と、
　前記反射層上に形成される透明塗布層とを含み、
　前記反射層の反対側にある前記透明塗布層の表面上にはパターンが形成され、
　前記反射層の反対側にある前記透明塗布層の表面の粗さは３μｍ〜３．５μｍの間にある、プロジェクタースクリーン。」が　
　
「プロジェクタースクリーンにおいて、
　対向する第一表面及び第二表面を含む可撓性基材と、
　前記可撓性基材の前記第一表面上に
直接
、白い光硬化樹脂層であ
　前記反射層上に
直接
　前記反射層の反対側にある前記透明塗布層の表面上にはパターンが形成され、
　前記反射層の反対側にある前記透明塗布層の表面の粗さは３μｍ〜３．５μｍの間にある、プロジェクタースクリーン。」と補正された。（下線は補正箇所を示す。）
　
　そして、この補正は、補正前の「反射層」について、「白い光硬化樹脂層である」ことを特定し、「第一表面上」への「反射層」の形成、及び、「反射層上」への「透明塗布層」の形成について、「直接形成される」ものであることを限定して特定するものであって、特許請求の範囲のいわゆる限定的減縮を目的とする補正であるといえる。
　すなわち、本件補正における請求項１に係る発明の補正は、特許法第１７条の２第５項第２号に掲げる事項を目的とするものである。
　
２　独立特許要件違反についての検討
　そこで、次に、本件補正後の特許請求の範囲の請求項１に係る発明（以下「本願補正発明」という。）が特許出願の際独立して特許を受けることができるものか（特許法第１７条の２第６項において準用する同法第１２６条第７項の規定に違反しないか）について検討する。
　
（１）引用例
ア　原査定の拒絶の理由に引用され、本願の優先日前に頒布された刊行物である特開２００９−１３４１８９号公報（以下「引用例１」という。）には、次の事項が記載されている。（なお、下記「イ　引用例１に記載された発明の認定」において直接引用した記載に下線を付した。）
ａ「【特許請求の範囲】
【請求項１】
　軸体に巻き取られて収容され、前記軸体から引き出されて使用される
反射型スクリーンであって、
　入射光を反射する反射層と、
　前記反射層における表面側に配された透明な表面保護層と、
　前記反射層における裏面側に配された裏面保護層と、
　を備え、
　前記軸体に巻き取られる場合に、前記表面保護層および前記裏面保護層のうち、ループスティフネス値のより大きい側が内側に配されて巻き取られる反射型スクリーン。
【請求項２】
　前記表面保護層のループスティフネス値は、前記裏面保護層のループスティフネス値よりも大きく、
　前記軸体に巻き取られる場合に、前記表面保護層が内側に配されて巻き取られる請求項１に記載の反射型スクリーン。
【請求項３】
　
前記裏面保護層と前記表面保護層とは同じ材料で形成されており、
【請求項４】
　前記表面保護層は、光拡散材料を含む請求項２に記載の反射型スクリーン。
【請求項５】
　前記表面保護層は、透明な表面保護層本体と、光を拡散する防眩層とを有し、
　前記反射層に近い側から前記表面保護層本体、前記防眩層の順に配される請求項２に記載の反射型スクリーン。
【請求項６】
　前記表面保護層における露出面にマット処理がなされている請求項２に記載の反射型スクリーン。」
ｂ「【技術分野】
【０００１】
　本発明は、反射型スクリーン及びスクリーン装置に関する。より詳細には、
投射型プロジェクタ等の投射画像を写す映写用スクリーン
ｃ「【００２８】
　また、
表面保護層１２８の表面に
表面処理として、サンドマット処理、エンボス加工等が挙げられる。
【００２９】
　同様に、
裏面保護層１２２と表面保護層１２８とは同じ材料で形成されており、
【００３０】
　
裏面保護層１２２は、例えば、プラスチックフィルムが用いられる。プラスチックフィルムを形成する材料としては、ＰＥＴ、ＰＥＮ、ＰＣ、ＰＰＳ、ポリプロピレン（ＰＰ）、トリアセチルセルロース（ＴＡＣ）等のセルロール誘導体、アクリル系樹脂、ポリ塩化ビニル等が用いられる。
【００３１】
　裏面保護層１２２の厚みは、１２〜１５０μｍであることが好ましい。厚みが１２μｍより薄くなると貼り合わせ時に皺が発生したり、平面性が悪くなりやすい。一方、厚みが１５０μｍを超えると巻取り性が悪くなりやすい。例えば、表面保護層１２８が内側に配されて巻き取られる場合の裏面保護層１２２としては、厚みが１２〜７５μｍのＰＥＴフィルムであってもよい。厚みが１２μｍより薄くなると貼り合わせ時に皺が発生したり、平面性が悪くなりやすい。一方、厚みが７５μｍを超えると巻取り性が悪くなりやすい。」
ｄ「【００３６】
　
表面保護層１２８の厚みは、１２〜１５０μｍであることが好ましい。
イ　引用例１に記載された発明の認定
　上記記載から、引用例１には、
「投射型プロジェクタ等の投射画像を写す映写用スクリーンとして使用される反射型スクリーンであって、
　入射光を反射する反射層と、
　前記反射層における表面側に配された透明な表面保護層と、
　前記反射層における裏面側に配された裏面保護層と、
　を備え、
　裏面保護層は、プラスチックフィルムが用いられ、プラスチックフィルムを形成する材料としては、ＰＥＴ、ＰＥＮ、ＰＣ、ＰＰＳ、ポリプロピレン（ＰＰ）、トリアセチルセルロース（ＴＡＣ）等のセルロール誘導体、アクリル系樹脂、ポリ塩化ビニル等が用いられ、
　表面保護層は裏面保護層と同じ材料で形成されており、
　表面保護層の厚みは、１２〜１５０μｍであり、
　表面保護層の表面に、サンドマット処理、エンボス加工等の表面処理がなされる反射型スクリーン。」
の発明（以下「引用発明」という。）が記載されている。
　
（２）本願補正発明と引用発明との対比
ア　対比
　本願補正発明と引用発明とを対比する。
（ア）引用発明の「投射型プロジェクタ等の投射画像を写す映写用スクリーンとして使用される反射型スクリーン」が、本願補正発明の「プロジェクタースクリーン」に相当する。
（イ）ａ　引用発明の「プラスチックフィルムが用いられ、プラスチックフィルムを形成する材料としては、ＰＥＴ、ＰＥＮ、ＰＣ、ＰＰＳ、ポリプロピレン（ＰＰ）、トリアセチルセルロース（ＴＡＣ）等のセルロール誘導体、アクリル系樹脂、ポリ塩化ビニル等が用いられ」る「裏面保護層」が、本願補正発明の「対向する第一表面及び第二表面を含む可撓性基材」に相当する。
ｂ　また、引用発明の「入射光を反射する反射層」と、本願補正発明の「白い光硬化樹脂層である反射層」とは、「反射層」である点で一致する。
ｃ　また、引用発明の「透明な表面保護層」と、本願補正発明の「透明塗布層」とは、「透明層」である点で一致する。
ｄ　そして、引用発明の「入射光を反射する反射層と、前記反射層における表面側に配された透明な表面保護層と、前記反射層における裏面側に配された裏面保護層と、を備え」ることは、裏面保護層上に反射層が配設され、反射層上に透明な表面保護層が配設されているものであることを意味しているから、引用発明の「入射光を反射する反射層と、前記反射層における表面側に配された透明な表面保護層と、前記反射層における裏面側に配された裏面保護層と、を備え、裏面保護層は、プラスチックフィルムが用いられ、プラスチックフィルムを形成する材料としては、ＰＥＴ、ＰＥＮ、ＰＣ、ＰＰＳ、ポリプロピレン（ＰＰ）、トリアセチルセルロース（ＴＡＣ）等のセルロール誘導体、アクリル系樹脂、ポリ塩化ビニル等が用いられ」ることと、本願補正発明の「対向する第一表面及び第二表面を含む可撓性基材と、前記可撓性基材の前記第一表面上に直接形成され、白い光硬化樹脂層である反射層と、前記反射層上に直接形成される透明塗布層とを含」むこととは、「対向する第一表面及び第二表面を含む可撓性基材と、前記可撓性基材の前記第一表面上に配設される反射層と、前記反射層上に配設される透明層とを含」む点で一致する。
（ウ）引用発明の「表面保護層の表面に、サンドマット処理、エンボス加工等の表面処理がなされれる」ことと、本願補正発明の「前記反射層の反対側にある前記透明塗布層の表面上にはパターンが形成され」ることとは、「前記反射層の反対側にある前記透明層の表面上にはパターンが形成され」る点で一致する。
　
イ　一致点
　よって、本願補正発明と引用発明は、
「プロジェクタースクリーンにおいて、
　対向する第一表面及び第二表面を含む可撓性基材と、
　前記可撓性基材の前記第一表面上に配設される反射層と、
　前記反射層上に配設される透明層とを含み、
　前記反射層の反対側にある前記透明層の表面上にはパターンが形成される、プロジェクタースクリーン。」
の発明である点で一致し、次の各点で相違する。
　
ウ　相違点
（ア）相違点１
　反射層について、本願補正発明では、「白い光硬化樹脂層」であるのに対し、引用発明では、そのような特定がない点。
（イ）相違点２
　反射層の可撓性基材の第一表面上への配設について、本願補正発明では、「直接形成」されるのに対し、引用発明では、そのような特定がない点。
（ウ）相違点３
　透明層について、本願補正発明では、透明「塗布」層であるのに対し、引用発明では、そのような特定がない点。
（エ）相違点４
　透明層の反射層上への配設について、本願補正発明では、「直接形成」されるのに対し、引用発明では、そのような特定がない点。
（オ）相違点５
　本願補正発明においては、「透明塗布層の表面の粗さは３μｍ〜３．５μｍの間にある」のに対し、引用発明においては、透明な表面保護層の表面粗さの特定はない点。
　
（３）当審の判断
ア　上記各相違点について検討する。
（ア）相違点１，２について
　本願の優先日前に頒布された刊行物である特開２０１４−７７８８３号公報には、「（反射スクリーンにおける）反射層」は「白色又は銀色系の顔料やビーズ等を含有する紫外線硬化型樹脂又は熱硬化性樹脂」を「塗布又は印刷して硬化させることにより形成してもよい」と記載されている（【００２３】参照）ように、反射層を「白い光硬化樹脂」によって、その下の層上に「直接形成」することは周知の技術である。
　引用発明において、反射層をどのような素材を用いてどのように配設するかは、当業者が必要に応じて適宜設定し得る事項にすぎないことであり、上記の周知の技術を採用して、「白い光硬化樹脂」によって、その下の層上に「直接形成」することとして、上記相違点１，２に係る本願補正発明の発明特定事項を得ることは当業者が容易に想到し得たことである。
（イ）相違点３，４について
　合成樹脂等の透明層をその下の層に「塗布」して、その下の層の上に「直接形成」することは周知の技術である。（必要とあらば、特開平９−２３０５０６号公報【００２６】の記載参照。）
　引用発明において、プラスチックフィルムからなる表面保護層をどのように下の層に配設するかは当業者が適宜設定し得る事項にすぎないところ、上記の周知技術を採用して、「塗布」によって、すなわち、「塗布層」として、「直接形成」するようにし、上記相違点３，４に係る本願補正発明の発明特定事項を得ることは当業者が容易に想到し得たことである。
（ウ）相違点５について
　相違点５の「透明塗布層の表面の粗さは３μｍ〜３．５μｍの間にある」ことについて、本願の明細書の発明の詳細な説明には、【００３３】において「本実施例において、透明塗布層１３０の厚さは２０μｍより小さいか或いは等しく、かつ反射層１２０の反対側にある透明塗布層１３０の表面の粗さは３μｍ〜３．５μｍの間にある。注意されたいことは、上述したパラメーターの範囲は本発明の例示に過ぎないものであるので、本発明はそれに限定されるものではない。」と記載されていることから、本願明細書の発明の詳細な説明には、相違点５に係る「透明塗布層の表面の粗さは３μｍ〜３．５μｍの間にある」の数値範囲についての技術的意義は示されておらず、上記の数値範囲は「２０μｍより小さい」「厚さ」の「透明塗布層」（透明層）において適宜に設定されたものにすぎず、上限下限の値についても、臨界的意義を有しないものである。
　引用発明において、厚みが１２〜１５０μｍである表面保護層（「透明層」）に対して、どの程度の厚さとするかについては，当業者が必要に応じて適宜設定し得る事項にすぎず、３〜３．５μｍとして、上記相違点５に係る本願補正発明の発明特定事項を得ることは当業者が容易に想到し得たことである。
イ　本願補正発明の奏する作用効果
　そして、本願補正発明によってもたらされる効果は、引用発明及び周知技術から当業者が予測し得る程度のものである。
　
ウ　まとめ
　以上のとおり、本願補正発明は、引用発明及び周知技術に基いて当業者が容易に発明をすることができたものであるから、特許法第２９条第２項の規定により特許を受けることができない。
　
３　むすび
　したがって、本願補正発明は特許出願の際独立して特許を受けることができるものであるということができないから、本件補正は、特許法第１７条の２第６項で準用する同法第１２６条第７項の規定に違反するものであり、同法第１５９条第１項で読み替えて準用する同法第５３条第１項の規定により却下されるべきものである。
　
 第３　本願発明について
１　本願発明
　平成２９年１月２３日付けの手続補正は、上記のとおり却下されたので、本願の請求項１に係る発明（以下「本願発明」という。）は、平成２８年４月１４日付けの手続補正により補正された特許請求の範囲の請求項１に記載された事項により特定されるとおりのものである。（上記「第２　平成２９年１月２３日付けの手続補正についての補正の却下の決定」の「１　本件補正について」の記載参照。）
　
２　引用例
　原査定の拒絶の理由に引用された引用例の記載事項及び引用発明については、上記「第２　平成２９年１月２３日付けの手続補正についての補正の却下の決定」の「２　独立特許要件違反についての検討」の「（１）引用例」に記載したとおりである。
　
３　対比・判断
　本願発明と引用発明とを対比すると、上記「第２　平成２９年１月２３日付けの手続補正についての補正の却下の決定」の「２　独立特許要件違反についての検討」の「（２）本願補正発明と引用発明の対比」の「ア　対比」において記載したのと同様の対比の手法及び結果により、本願発明と引用発明は、
 「プロジェクタースクリーンにおいて、
　対向する第一表面及び第二表面を含む可撓性基材と、
　前記可撓性基材の前記第一表面上に配設される反射層と、
　前記反射層上に配設される透明層とを含み、
　前記反射層の反対側にある前記透明塗布層の表面上にはパターンが形成される、プロジェクタースクリーン。」
で一致し、次の各点で相違する。
（ア）相違点２’
　反射層の可撓性基材の第一表面上への配設について、本願発明では、「形成」されるのに対し、引用発明では、そのような特定がない点。
（イ）相違点３’
　透明層について、本願発明では、透明「塗布」層であるのに対し、引用発明では、そのような特定がない点。
（ウ）相違点４’
　透明層の反射層上への配設について、本願発明では、「形成」されるのに対し、引用発明では、そのような特定がない点。
（エ）相違点５’
　本願発明においては、「透明塗布層の表面の粗さは３μｍ〜３．５μｍの間にある」のに対し、引用発明においては、透明な表面保護層の表面粗さの特定はない点。
　上記の相違点２’ないし５’についての検討は、上記「第２」「２」「（３）」「ア」の「（ア）」ないし「（ウ）」に記載した相違点２ないし相違点５についての検討によって既に検討済みの事項であり、引用発明及び周知技術に基づいて当業者が容易に想到し得た事項にすぎない。
　また、本願発明によってもたらされる効果は、引用発明及び周知技術から当業者が予測し得る程度のものである。
　よって、本願発明は、引用発明及び周知技術に基づいて当業者が容易に発明をすることができたものであるから、特許法第２９条第２項の規定により特許を受けることができない。
４　むすび
　以上のとおりであり、本願発明は、引用発明及び周知技術に基づいて当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。